(57)【要約】  無線機器は、有線リンクプロトコルを利用する電子機器を、例えば、無線パーソナル・エリア・ネットワーク（ＷＰＡＮ）に接続する。該無線機器は、該電子機器に接続するために構成された有線インターフェース、該有線インターフェースに接続された有線トランシーバ、ここで該少なくとも１つの有線トランシーバは該電子機器に接続された有線リンクの端末として機能するために構成されている、及び、該有線トランシーバに接続されてＷＰＡＮにおける無線リンクの端末として機能するために構成された無線送信機又はトランシーバ、を具備する。該無線機器は、無線リンクを介して、複数の異種の有線機器を互いに接続するために構成されることが出来る。
2011501483.tif 000002
【特許請求の範囲】
【請求項１】
通信するための装置であって、
該装置を第１機器に接続する有線リンクを提供するために構成された少なくとも１つの有線インターフェース、
該有線リンクの端末として機能するために構成され、該端末機能は該第１機器からデータを受信することを具備する少なくとも１つの有線トランシーバ、及び
該受信されたデータを第２機器へ無線で送信するための無線送信機、
を具備する装置。
【請求項２】
該少なくとも１つの有線インターフェース及び該少なくとも１つの有線トランシーバは、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項１に記載の装置。
【請求項３】
該端末機能は、該データの受信に応答して、該第１機器にアクノリッジメントメッセージを送信することを更に具備する請求項１に記載の装置。
【請求項４】
該少なくとも１つの有線トランシーバは、該受信データが正しいかどうかを判定するために構成される請求項３に記載の装置。
【請求項５】
該アクノリッジメントメッセージは、もし該受信データが正しいデータならばＡＣＫメッセージを具備し、或いは、もし該受信データが正しくないならばＮＡＣＫメッセージを具備する請求項４に記載の装置。
【請求項６】
該判定は、該受信データの巡回冗長検査を実行することを具備する請求項４に記載の装置。
【請求項７】
該第１機器から受信されたデータを記憶するために構成されたメモリを更に具備する請求項３に記載の装置。
【請求項８】
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する請求項７に記載の装置。
【請求項９】
通信するための方法であって、
装置を第１機器に接続する有線リンク通信を提供し、
該第１機器に対して少なくとも１つの端末機能を実行し、ここに該端末機能は該第１機器からデータを受信することを具備する、及び
該受信されたデータを第２機器へ無線で送信すること、
を具備する方法。
【請求項１０】
該有線リンク通信を提供することは、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項９に記載の方法。
【請求項１１】
該少なくとも１つの端末機能は、該データの受信に応答して、該第１機器にアクノリッジメントメッセージを送信することを更に具備する請求項９に記載の方法。
【請求項１２】
該少なくとも１つの端末機能は、該受信データが正しいかどうかを判定することを更に具備する請求項１１に記載の方法。
【請求項１３】
該少なくとも１つの端末機能は、もし該受信データが正しいデータならばＡＣＫメッセージを返信し、或いは、もし該受信データが正しくないならばＮＡＣＫメッセージを返信することを更に具備する請求項１２に記載の方法。
【請求項１４】
該判定は、該受信データの巡回冗長検査を実行することを具備する請求項１２に記載の方法。
【請求項１５】
該第１機器から受信されたデータをメモリに記憶することを更に具備する請求項１１に記載の方法。
【請求項１６】
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する請求項１５に記載の方法。
【請求項１７】
通信するための装置であって、
該装置を第１機器に接続する有線リンク通信を提供するための手段、
該有線リンク上の少なくとも１つの端末機能を実行するための手段、ここに該端末機能は該第１機器からデータを受信することを具備する、及び
該受信されたデータを第２機器へ無線で送信するための手段、
を具備する装置。
【請求項１８】
該有線リンク通信を提供するための手段は、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項１７に記載の装置。
【請求項１９】
該少なくとも１つの端末機能を実行するための手段は、該データの受信に応答して、該第１機器にアクノリッジメントメッセージを送信するための手段を更に具備する請求項１７に記載の装置。
【請求項２０】
該少なくとも１つの端末機能を実行するための手段は、該受信データが正しいかどうかを判定するための手段を更に具備する請求項１９に記載の装置。
【請求項２１】
該少なくとも１つの端末機能を実行するための手段は、もし該受信データが正しいデータならばＡＣＫメッセージを返信し、或いは、もし該受信データが正しくないならばＮＡＣＫメッセージを返信するための手段を更に具備する請求項２０に記載の装置。
【請求項２２】
該判定するための手段は、該受信データの巡回冗長検査を実行するための手段を具備する請求項２０に記載の装置。
【請求項２３】
該第１機器から受信されたデータを記憶するための手段を更に具備する請求項１９に記載の装置。
【請求項２４】
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する請求項２３に記載の装置。
【請求項２５】
その上で符号化され下記を実行可能な諸命令を具備する機械可読媒体であって、
装置を第１機器に接続する有線リンク通信を提供すること、
該有線リンク上で少なくとも１つの端末機能を実行すること、ここに該端末機能は該第１機器からデータを受信することを具備する、及び
該受信されたデータを第２機器へ無線で送信すること、
を具備する機械可読媒体。
【請求項２６】
通信するための装置であって、
第１機器の端末として機能するために構成された無線トランシーバ、ここに該端末機能は第１機器からデータを無線で受信することを具備する、及び
該装置と第２機器を通信で接続する有線リンクを介して該受信データを送信するために構成された少なくとも１つの有線トランシーバ、
を具備する装置。
【請求項２７】
該端末機能は、該データの受信に応答して、該第１機器にアクノリッジメントメッセージを無線で送信することを具備する請求項２６に記載の装置。
【請求項２８】
該少なくとも１つの有線トランシーバは、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項２６に記載の装置。
【請求項２９】
該端末機能は、該受信データが正しいかどうかを判定することを具備する請求項２７に記載の装置。
【請求項３０】
該アクノリッジメントメッセージは、もし該受信データが正しいデータならばＡＣＫメッセージを具備し、或いは、もし該受信データが正しくないならばＮＡＣＫメッセージを具備する請求項２９に記載の装置。
【請求項３１】
該判定は、該受信データの巡回冗長検査を実行することを具備する請求項２９に記載の装置。
【請求項３２】
該少なくとも１つの端末機能は、該少なくとも１つの有線トランシーバによって受信されたＮＡＣＫメッセージに基づいて、該第１機器にＮＡＣＫメッセージを無線で送信することを更に具備する請求項２７に記載の装置。
【請求項３３】
該第１機器から受信されたデータを記憶するために構成されたメモリを更に具備する請求項２７に記載の装置。
【請求項３４】
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する請求項３３に記載の装置。
【請求項３５】
通信するための方法であって、
第１機器に対して少なくとも１つの端末機能を実行し、ここに該端末機能は、装置において、該第１機器からのデータを無線で受信することを具備する、及び
該装置と第２機器を通信で接続する有線リンクを介して該受信されたデータを送信すること、
を具備する方法。
【請求項３６】
該少なくとも１つの端末機能は、該データの受信に応答して、該第１機器にアクノリッジメントメッセージを無線で送信することを具備する請求項３５に記載の方法。
【請求項３７】
該送信することは、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項３５に記載の方法。
【請求項３８】
該少なくとも１つの端末機能は、該受信データが正しいかどうかを判定することを具備する請求項３６に記載の方法。
【請求項３９】
該アクノリッジメントメッセージは、もし該受信データが正しいデータならばＡＣＫメッセージを具備し、或いは、もし該受信データが正しくないならばＮＡＣＫメッセージを具備する請求項３８に記載の方法。
【請求項４０】
該判定は、該受信データの巡回冗長検査を実行することを具備する請求項３８に記載の方法。
【請求項４１】
該少なくとも１つの端末機能は、該少なくとも１つの有線トランシーバによって受信されたＮＡＣＫメッセージに基づいて、該第１機器にＮＡＣＫメッセージを無線で送信することを更に具備する請求項３６に記載の方法。
【請求項４２】
該第１機器から受信されたデータを記憶することを更に具備する請求項３６に記載の方法。
【請求項４３】
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する請求項４２に記載の方法。
【請求項４４】
通信するための装置であって、
第１機器に対して少なくとも１つの端末機能を実行するための手段、ここに該端末機能は、装置において、第１機器からのデータを無線で受信することを具備する、及び
該装置と第２機器を通信で接続する有線リンクを介して該受信されたデータを送信するための手段、
を具備する装置。
【請求項４５】
該少なくとも１つの端末機能を実行するための手段は、該データの受信に応答して、該第１機器にアクノリッジメントメッセージを無線で送信するための手段を具備する請求項４４に記載の装置。
【請求項４６】
該送信するための手段は、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項４４に記載の装置。
【請求項４７】
該少なくとも１つの端末機能を実行するための手段は、該受信データが正しいかどうかを判定するための手段を具備する請求項４５に記載の装置。
【請求項４８】
該アクノリッジメントメッセージは、もし該受信データが正しいデータならばＡＣＫメッセージを具備し、或いは、もし該受信データが正しくないならばＮＡＣＫメッセージを具備する請求項４７に記載の装置。
【請求項４９】
該判定のための手段は、該受信データの巡回冗長検査を実行するための手段を具備する請求項４７に記載の装置。
【請求項５０】
該少なくとも１つの端末機能を実行するための手段は、該少なくとも１つの有線トランシーバによって受信されたＮＡＣＫメッセージに基づいて、該第１機器にＮＡＣＫメッセージを無線で送信するための手段を更に具備する請求項４５に記載の装置。
【請求項５１】
該第１機器から受信されたデータを記憶するための手段を更に具備する請求項４５に記載の装置。
【請求項５２】
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する請求項５１に記載の装置。
【請求項５３】
その上で符号化され下記を実行可能な諸命令を具備する機械可読媒体であって、
第１機器に対して少なくとも１つの端末機能を実行すること、ここに該端末機能は、装置において、第１機器からデータを無線で受信することを具備する、及び
該装置と第２機器を通信で接続する有線リンクを介して該受信されたデータを送信すること、
を具備する機械可読媒体。
【発明の詳細な説明】
【技術分野】
【０００１】
［３５Ｕ．Ｓ．Ｃ．§１１９に基づく優先権の主張］
本特許出願は、２００７年１０月３日に提出され、そして、本出願における参照としてここに明確に組み込まれた、米国特許仮出願番号第６０／９９７，４３９号に優先権を主張する。
【０００２】
本発明は無線パーソナル・エリア・ネットワーク（Wireless Personal Area Network）（ＷＰＡＮ）及び無線ローカル・エリア・ネットワーク（Wireless Local Area Network）（ＷＬＡＮ）における機器を接続する方法および手段に係る。特に、本発明は有線プロトコルをＩＥＥＥ８０２．１５．３無線プロトコルとインターフェース接続することに関するが、それに限られてはいない。
【背景技術】
【０００３】
ミリ波通信を利用するＷＰＡＮとＷＬＡＮはホーム・ネットワーク内及び種々の家電機器間の短距離通信のために使用される。本開示の目的に対して、ＷＰＡＮは、個人用機器の間で大量のデータを移送するために構成された短距離ネットワーク、超広帯域ネットワーク、及び、それ等の機器がインターフェース接続する任意のより大きなネットワークを含む。そのようなアプリケーションを容易にするために、超広帯域ネットワークは複数の異なる高速データレート機器間の媒体アクセス制御を必要とする。例えば、ＩＥＥＥ８０２．１５．３プロトコルは、ＷＰＡＮにおけるピア・ツー・ピア（peer-to-peer）通信のために使用されることが出来る。
【０００４】
１０ｍを上限とする範囲に対して６Ｇｂｐｓ超のデータレートを提供することが出来るミリ波ＷＰＡＮが最近ＩＥＥＥ８０２．１５．３ｃで標準化されている。６０ＧＨｚに対する超高スループットＷＬＡＮ標準も又ＶＨＴ６０の下で検討されている。ＷＰＡＮやＷＬＡＮの１つの可能なアプリケーションはコンピュータ・ネットワーク内の周辺機器間に無線接続を提供することである。例えば、ＷＰＡＮの先行技術の諸態様は、現在の有線プロトコル（ＵＳＢ、ＩＥＥＥ１３９４、ＰＣＩＥ、ＤＶＩ／ＨＤＭＩ、ＳＡＴＡ、１ＧｂＥ、等々）が無線チャネルを介して送信されることを可能にする。しかしながら、これ等の有線プロトコルのそれぞれはアクノリッジメントメッセージ（acknowledgement message）（例えば、確認応答（ＡＣＫ）又は否定応答（ＮＡＣＫ））を送受信する間に非常に厳しいレイテンシ（latency）要求と厳しいタイミング要求を有する。従って、有線プロトコルを利用する周辺機器のためのエンド・ツー・エンド（end-to-end）無線ソリューションは、無線媒体とプロトコルにおけるレイテンシに起因する重大な性能上の障害から、不利を被っている。
【０００５】
図１は複数の異なる周辺機器に対して無線サポートを提供するための先行技術のソリューションを例示する。例えば、ある周辺機器はＵＳＢインターフェースを有することが出来、第２の周辺機器は１３９４インターフェースを有することが出来、第３の機器はＰＣＩＥインターフェースを有することが出来、そして第４の機器はＨＤＭＩインターフェースを有することが出来る。該先行技術のソリューションはそれぞれの周辺機器に対するプロトコル適応層（protocol adaptation layer）（ＰＡＬ）１０１〜１０４と、それぞれの周辺機器に対するサブＭＡＣ１１１〜１１４と、を備えている。更に、それぞれの周辺機器のそれぞれの終端に、無線ドライバ（図示されない）が必要となる。
【０００６】
送信端と受信端を有する無線システムでは、それぞれの終端は標準的な有線周辺機器トランシーバと無線トランシーバを備える。送信端は受信端にパケットを送信し、そして該送信端は、タイマを立ち上げて、所定の時間内の（例えば、該タイマの期限が切れる前の）ＡＣＫ又はＮＡＣＫを待つ。しかしながら、無線チャネルと無線プロトコルにおけるレイテンシに起因して、例え該受信端が該パケットを正しく受信する場合でも、返信されるＡＣＫ又はＮＡＣＫはしばしば到着が遅すぎる（即ち、該タイマの期限が切れた後になる）。該送信端は、該パケットがロストした、と見なして、この不正確な仮定に基づき、該パケットを再送する及び送信レートを小刻みに低減するというような、アクションをとる。これは有線プロトコルと無線プロトコル双方を利用するエンド・ツー・エンド・ソリューションの性能を阻害する多数の問題点の１つに過ぎない。
【０００７】
ワイメディア・アライアンス（WiMedia alliance）はＵＳＢプロトコルに関するこの問題点に対処した。ワイメディアは新しいプロトコル、無線ＵＳＢ（ＷＵＳＢ）、を規定した。ＷＵＳＢはＵＳＢ  ＭＡＣへの重要な変更を要求し、そして、既存の有線ドライバを置換するために、それぞれの終端に対しＰＡＬと新しいドライバを提供する。もしこの手法が周辺機器のための全ての有線プロトコルに対する無線サポートを提供するために使用されるならば、それは、それぞれの有線プロトコルに対してＰＡＬのセットを導入すること、それぞれの周辺機器に対してＭＡＣを再構成すること、及び、新しい無線ドライバのセットを提供して既存の有線ドライバを置換すること、を必要とすることになろう。
【発明の概要】
【０００８】
ここで開示される諸態様は、ＩＥＥＥ８０２．１５．３Ｃプロトコルによって規定されるような、ミリ波ＷＰＡＮを利用するシステムにとって有利であるといえる。しかしながら、他のアプリケーションが同様な利点を得ることが出来るので、本発明はそのようなシステムに限定されることを意図していない。
【０００９】
本発明の一態様では、無線装置は、有線リンクプロトコルを利用する第１機器を、ＷＰＡＮ又はＷＬＡＮのような無線ネットワーク内に常駐することが出来る或いは該無線ネットワークに関連付けられる第２機器に接続するために構成される。該装置は有線インターフェース、第１機器に対する端末として機能する有線トランシーバ、及び、無線送信機を具備する。
【００１０】
別の態様では、通信装置は、有線プロトコルを利用する第１機器を、ＷＰＡＮ又はＷＬＡＮのような無線ネットワーク内に常駐することが出来る或いは該無線ネットワークに関連付けられる第２機器に接続するために構成される。該通信装置は有線トランシーバ及び無線トランシーバを具備する。該無線トランシーバは第２機器に対する端末として機能し、そして、そのような端末機能は第２機器からデータを無線で受信することを含む。該有線トランシーバは、該装置と第１装置を通信的に接続する有線リンクを介して、該受信データを転送するために構成される。
【００１１】
該無線トランシーバ手段は無線ネットワークに対する端末機能を実行するために構成される。該無線トランシーバ手段は、例として、ＩＥＥＥ８０２．１５．３無線プロトコルに準拠して構成される無線トランシーバのような、ミリ波トランシーバを含むことが出来るが、これに限定されない。
【００１２】
好ましい態様の幾つかの利点と有利性が述べられるけれども、本発明の範囲は特別な利点、利用、又は目的に限定されるようには意図されない。むしろ、本発明の諸態様は、種々異なる無線技術、システム構成、ネットワーク、及び送信プロトコルへの広汎な適用を可能にするように意図され、これ等のいくつかは、図面中に及び好ましい態様についての下記の説明中に、例として示される。詳細な説明と図面は限定というよりはむしろ本発明の単なる例示であって、本発明の範囲は添付された特許請求の範囲とその同等物によって規定される。ここで使用される語句、“ａ”、“ｂ”、及び“ｃ”の内の少なくとも１つの使用は“ａ”、“ｂ”、“ｃ”、又はこれ等の任意の組合せを意味するものとする。
【図面の簡単な説明】
【００１３】
本発明による諸態様は下記の図面を参照して理解される。
【図１】図１は複数の異なる周辺機器に無線サポートを提供するための先行技術のソリューションを示すブロック図である。
【図２】図２は本発明の機能的態様の例を示す概念的モデルのブロック図である。
【図３Ａ】図３Ａは、異なる有線プロトコルを利用する一対の有線機器間のとぎれのない無線接続を提供するために構成された本発明の態様の一例を示す。
【図３Ｂ】図３Ｂは図３Ａで示される無線ユニットの１つのブロック図である。
【図３Ｃ】図３Ｃは、本発明により構成される、有線インターフェース手段、有線トランシーバ手段、及び無線トランシーバ手段を具備する装置の一例のブロック図である。
【図３Ｄ】
【図４】図４は、本発明によるＷＰＡＮで情報を通信する方法の一例を示す。
【図５】図５は、有線プロトコルを利用するために構成された電子機器をＷＰＡＮに接続するための通信方法の一例のフロー図である。
【図６】図６は本発明により構成された通信システムの一例のブロック図である。
【図７】図７は本発明により構成されたコンピュータ可読メモリ上に常駐するソフトウェア・コンポーネントの一例を示す。
【発明を実施するための形態】
【００１４】
本開示の種々の態様が下記に記載される。ここでの諸教示は多様な形態で具体化されることが出来ること、及び、ここで開示される何れの具体的構成、機能またはその両者は単に代表的なものであるということ、は当然明白である。ここでの教示に基づいて、当業者は、ここで開示された１つの態様は任意の他の態様とは独立に実施されることが出来ること、及び、２つ以上のこれ等の態様は種々の方法で組み合わせられることが可能なこと、を認識すべきである。例えば、ここに記載された任意の数の態様を使用して、装置が実装されることが出来る或いは方法が実行されることが出来る。更に、ここに記載された１又は複数の態様に追加した或いは該態様とは異なる、他の構成、機能性または構成及び機能性を使用して、その様な装置が実装されることが出来る或いはその様な方法が実行されることが出来る。
【００１５】
下記の説明では、説明の目的のために、多くの具体的な詳細が本発明の完全な理解を提供するために説明される。しかしながら、ここで図示されそして説明される特別な諸態様は本発明を何らかの特別な形態に限定するようには意図されないと言うこと、むしろ、本発明は特許請求の範囲によって規定される本発明の範囲に収まる全ての修正、同等物、及び変更を含むべきであると言うこと、が理解されるべきである。
【００１６】
図２は本発明の機能的態様を示す概念的モデルのブロック図である。本発明の一態様により構成されたシステムの機能的諸態様が、開放型システム相互接続（ＯＳＩ）基本参照モデル（Basic Reference Model）の諸階層のような階層において図示されることが出来る。
【００１７】
１つの階層は、該階層の上位の階層にサービスを提供し該階層の下位の階層からサービスを受ける、概念的に同種の機能の集合体である。例えば、ネットワークを横断して誤りのない通信を提供する階層は該階層の上位のアプリケーションによって必要とされるパス（path）を提供し、他方、該階層は、すぐ下位の階層に、パスの内容を構成するパケットを送受信するように要求する。
【００１８】
本発明の一態様によれば、ＷＰＡＮシステムは、ミリ波物理層２２０、ミリ波ＭＡＣ層２１０、及び、該ＷＰＡＮ内の周辺機器によって利用されるそれぞれの有線プロトコルに対応する複数のアプリケーション（ＵＳＢアプリケーション２０１、１３９４アプリケーション２０２、ＰＣＩＥアプリケーション２０３、及びＨＤＭＩアプリケーション２０４など）を含むアプリケーション層、を具備する。ＷＰＡＮの動作に関しては、異なる型の周辺機器に対して既存のミリ波ＭＡＣには変更がないので、該周辺機器は単にアプリケーションとして現れ、そして諸態様は既存の有線ドライバを使用する。１つ又は複数のアプリケーションは適応層を組み込むことが出来る。
【００１９】
図３Ａは異なる有線プロトコルを利用する一対の有線機器間のとぎれのない無線接続を提供するために構成された本発明の一態様を示す。ＰＣＩＥ周辺機器インターフェース３１１及びＷＰＡＮ無線ユニット３２１を有する第１ラップトップ・コンピュータ３０１は、１ＧｂＥ周辺機器インターフェース３１２及び第２ＷＰＡＮ無線ユニット３２２を備える第２ラップトップ３０２と、通信的に接続されている。
【００２０】
図３Ｂは、図３Ａで示される該無線ユニット３２１及び３２２の内の１つのブロック図である。該無線ユニットは、１３９４インターフェース３４１、１ＧｂＥインターフェース３４２、及びＰＣＩＥインターフェース３４３のような、１又は複数の有線インターフェース（すなわち、コネクタ）を有することが出来る。図示されない追加のインターフェースを含んでいても良い。該無線ユニットは、１３９４トランシーバ３３１、１ＧｂＥトランシーバ３３２、及びＰＣＩＥトランシーバ３３３のような、１又は複数の有線トランシーバを有することが出来る。各トランシーバ３３１〜３３３は有線インターフェース３４１〜３４３の内の対応する１つに接続される。該無線ユニットは更に、メモリ３２０、及び、ＷＰＡＮとインターフェース接続するのに必要とされるＰＨＹ、ＭＡＣおよびＲＦ機能の全てを具備する無線トランシーバ３１０、を具備する。
【００２１】
１つの態様では、図３Ｂで示される無線ユニットは、第１ラップトップ・コンピュータ３０１のＰＣＩＥ周辺機器インターフェース３１１に接続するために、自身のＰＣＩＥインターフェース３４３を利用する。別の態様では、図３Ｂで示される無線ユニットは、第２ラップトップ３０２の１ＧｂＥ周辺機器インターフェース３１２に接続するために、自身の１ＧｂＥインターフェース３４１を利用する。第１ラップトップ３０１上のアプリケーションが自身のＰＣＩＥインターフェース３１１を介してパケットを送信する場合、該パケットは、第２ラップトップ３０２におけるＰＣＩＥトランシーバ（図示されない）の代わりに、無線ユニット３２１に常駐するＰＣＩＥトランシーバ３３３によって受信される。
【００２２】
ＰＣＩＥトランシーバ３３３は、ラップトップ３０１のＰＣＩＥ周辺機器インターフェース３１１を介して送信されたデータの受信を承認することによって、有線リンクに対する端末機能を実行する。例えば、ＰＣＩＥトランシーバ３３３は、受信されたデータの巡回冗長検査（ＣＲＣ）を実行し、そして、該ＣＲＣの結果に従ってラップトップ３０１に、ローカルＡＣＫ又はローカルＮＡＣＫのような、ローカルアクノリッジメントメッセージ（local acknowledgement message）を送信する。１つの態様では、ＰＣＩＥトランシーバ３３３は、例えば無線ユニット内の内部メモリを管理するために、例えＣＲＣが合格しても、ローカルＮＡＣＫを返信することが出来る。ローカルＡＣＫ又はローカルＮＡＣＫのような、ローカルアクノリッジメントメッセージは、ここでは、有線リンクのようなローカルリンクの２つの端末間で送信される、アクノリッジメントメッセージであると定義される。ローカルリンクはエンド・ツー・エンドリンクの一部（即ち、一セグメント）である。従って、ローカルアクノリッジメントメッセージは、複数のローカルリンクを含むエンド・ツー・エンドリンク全体を通過するアクノリッジメントメッセージとは異なる。
【００２３】
本開示の目的に対して、有線リンクに対する端末は、有線リンクプロトコルにより送信されたデータが受信される、該リンク内の場所であって、１又は複数の端末機能が該有線リンクプロトコルを考慮して実行される。端末は終端としても知られており、それはデータ・ソース（data source）、データ・シンク（data sink）、或いはその両方であってもよい。端末機能は、受信したデータの誤り検出を実行すること、受信したデータの誤り訂正を実行すること、データの受信または非受信を通知すること、データフローを調整すること、データフローを調整するために他の機器へメッセージを送ること、及び受信したデータを復号すること、を例として含むが、これ等に限定されない。端末、従って、端末機能はリンクの対応する有線プロトコルに従って規定される。例えば、ＵＳＢ端末はＡＣＫ／ＮＡＣＫアクノリッジメントメッセージをＵＳＢ有線プロトコルに従って送るように構成されている。他の有線プロトコルにおける端末（及び対応する端末機能）はＡＣＫ／ＮＡＣＫとは別の代替機構を利用することが出来る。
【００２４】
ある場合には、有線リンク内で送信されるローカルアクノリッジメントメッセージは無線装置によって指示されることが可能である、或いは無線装置から発せられることすら可能である。例えば、無線ユニット３２１又は３２２は、例え有線リンクからパケットを正しく受信したとしても、ＮＡＣＫを返信することが出来る。もしメモリ３２０が満杯ならば、無線ユニットは有線リンクから受信されるさらなるパケットを記憶することはできない。従って、無線ユニットは送信を中止するために有線リンクへの割り込みを送信するか、又は、自身のメモリが更なるデータを収容出来るまでローカルＮＡＣＫを送り続けることが出来る。有線リンク回線に対する端末は又、データが有線リンクプロトコルにより最初に送信される、リンク内の場所である。有線リンクは一般的には２つの端末を含む。しかしながら、有線リンクは２を超える端末を含むことが出来る。
【００２５】
ＰＣＩＥトランシーバ３３３は有線リンクプロトコルに関してフォーマットされた受信データを処理するために更に構成されている。処理された結果のデータは有線リンクフォーマットを除去されて、“生データ”と呼ばれることがある。生データは、ＷＰＡＮによって利用された無線プロトコルに関して該生データをフォーマットするように構成される、無線トランシーバ３１０に接続される。
【００２６】
本発明の諸態様では、有線プロトコルにより送信されたデータは無線チャネルを介して伝播することはない。従って、タイミングとレイテンシの問題点が緩和される。更に、有線プロトコル（例えば、ＰＣＩＥ）は無線リンクを介して送信されることはないので、無線ユニット３２２は、第２ラップトップ３０２における別の有線インターフェース（例えば、１ＧｂＥインターフェース３１２）とのインターフェース接続を行うことが出来る。
【００２７】
無線トランシーバ３１０は無線リンクに対する端末である。本開示の目的に対して、無線リンクに対する端末は、無線プロトコルにより送信されたデータが、通信リンクにおける終端又は目的地として、受信され処理される、リンク内の場所である。無線端末、従って、無線リンク内で実行される端末機能は、該リンクの対応する無線プロトコルに従って規定される。端末機能は、受信したデータの誤り検出を実行すること、受信したデータの誤り訂正を実行すること、データの受信または非受信を通知すること、データフローを調整すること、データフローを調整するために他の機器へメッセージを送ること、及び受信したデータを復号すること、を例として含むが、これ等に限定されない。無線リンクに対する端末は又、データが無線プロトコルにより最初に送信される、リンク内の場所である。無線リンクは少なくとも２つの端末を含む。しかしながら、無線ネットワークは２以上の端末を含むことが出来る。
【００２８】
無線トランシーバ３１０によってＷＰＡＮから受信された信号は無線プロトコルに関してフォーマットされた。無線トランシーバ３１０はこれ等の受信信号を処理して生データを生成する。該生データは、ＰＣＩＥトランシーバ３３３のような、少なくとも１つの有線トランシーバに接続される。ＰＣＩＥトランシーバ３３３は有線リンクに対する端末として機能し、従って、ラップトップ３０１への有線リンクを介する送信のために、該生データをＰＣＩＥプロトコルに関してフォーマットする。有線リンクの端末の別の機能は有線プロトコルを介して送られたメッセージに応答することである。例えば、ＰＣＩＥトランシーバ３３３はラップトップ３０１内の有線トランシーバ（図示されない）から受信されるローカルＮＡＣＫに応答してデータを再送することが出来る。
【００２９】
図３Ｃは本発明の一態様により構成される装置のブロック図である。該装置を第１機器３５０に接続するための手段は有線インターフェース３５１を具備し、該インターフェース３５１は第１機器と該装置間の有線リンクを提供するために構成される。該有線リンクを終了させるための手段は、有線トランシーバ３５２のような、少なくとも１つの有線トランシーバを具備し、該トランシーバ３５２は該有線リンクの端末として機能するために構成される。有線トランシーバ３５２によって実行される端末機能は第１機器３５０からデータを受信することを含む。無線で送信するための手段は無線送信機３５３を具備し、該送信機３５３は受信されたデータを第２機器３６０に無線で転送するために構成される。該装置は、第１機器３５０又は第２機器３６０から受信されたデータを記憶するために構成されたメモリ３５４のような、データを記憶するための手段を更に具備することが出来る。
【００３０】
有線インターフェース３５１は、ＵＳＢインターフェース、ＩＥＥＥ１３９４インターフェース、ＰＣＩＥインターフェース、ＤＶＩ／ＨＤＭＩインターフェース、ＳＡＴＡインターフェース、及び１ＧｂＥインターフェース（又はそれ等の任意の組合せ）のような、１又は複数の有線インターフェースを含むことが出来る。有線トランシーバ３５２は有線インターフェース３５１に接続され、そして、ＵＳＢトランシーバ、ＩＥＥＥ１３９４トランシーバ、ＰＣＩＥトランシーバ、ＤＶＩ／ＨＤＭＩトランシーバ、ＳＡＴＡトランシーバ、及び１ＧｂＥトランシーバ、又はそれ等の任意の組合せのような、少なくとも１つの有線トランシーバを含むことが出来る。
【００３１】
無線送信機３５３は有線トランシーバ３５２に接続され、そして、ＷＰＡＮ又はＷＬＡＮにおける無線リンクのような、無線リンクからのデータを受信して承認するために構成されることが出来る。無線送信機３５３は、ＩＥＥＥ８０２．１５．３無線プロトコルにより構成された無線トランシーバのような、ミリ波トランシーバを具備することが出来る。
【００３２】
本発明の１つの態様では、該端末機能は、データ受信に応答して、アクノリッジメントメッセージを第１機器３５０に送信することを具備することが出来る。有線トランシーバ３５２は、該受信データが正しいかどうかを判定するために、構成されることが出来る。例えば、判定は、受信データの巡回冗長検査を実行すること、を含むことが出来る。該アクノリッジメントメッセージは、もし該受信データが正しいデータならばＡＣＫメッセージを、又はもし該受信データが正しくないならばＮＡＣＫメッセージを、具備することが出来る。本発明の別の態様では、該アクノリッジメントメッセージは、もし該受信データを記憶するために十分なメモリがあるならばＡＣＫメッセージを、又はもし該受信データを記憶するためには不十分なメモリしかないならばＮＡＣＫを、具備することが出来る。例えば、もし第２機器３６０が該受信データを受け入れることが出来ず、そしてメモリ３５４が満杯ならば、有線トランシーバ３５２は、データフローを中断または遅延させるために、第１機器３５０へＮＡＣＫ又は割り込みメッセージを送るために構成されることが出来る。
【００３３】
図３Ｄは本発明の一態様により構成される装置のブロック図である。第１機器３５０に対して無線リンクを終結させるための手段は無線トランシーバ３６１を具備することが出来る。該トランシーバ３６１は第１機器３７０の端末として機能するために構成され、ここに該端末機能は第１機器３７０からデータを無線で受信することを含む。有線リンクを介して受信データを送信するための手段は、該装置と第２機器３８０を通信的に接続する、有線トランシーバ３６２のような、少なくとも１つの有線トランシーバを具備することが出来る。該装置は、無線ネットワークから受信されたデータを記憶するために構成される、メモリ３６３のような、データを記憶するための手段を更に具備することが出来る。
【００３４】
本発明の１つの態様では、端末機能は、データ受信に応答して、アクノリッジメントメッセージを第１機器３７０に無線で送信することを更に含む。無線トランシーバ３６１は、該受信データが正しいかどうかを判定するために、構成されることが出来る。例えば、該判定は、受信データの巡回冗長検査を実行すること、を含むことが出来る。本発明の１つの態様では、無線トランシーバ３６１は、もし受信データが正しいデータならば、ＡＣＫメッセージを具備するアクノリッジメントメッセージを、又はもし受信データが正しくないならばＮＡＣＫメッセージを具備するアクノリッジメントメッセージを、送信することが出来る。該端末機能は、有線トランシーバ３６２によって受信されたＮＡＣＫに基づいてＮＡＣＫメッセージを第１機器３７０に無線で送信することを更に含むことが出来る。本発明の別の態様では、アクノリッジメントメッセージは、もし受信データを記憶するために十分なメモリがあるならばＡＣＫメッセージを、又はもし受信データを記憶するためには不十分なメモリしかないならばＮＡＣＫメッセージを、含むことが出来る。例えば、もし第２機器がデータを受け入れることが出来ず、そしてメモリ３６３が満杯になるならば、ＮＡＣＫメッセージが第１機器に送られることが出来る。
【００３５】
無線トランシーバ３６１のような、無線リンクを終結させるための手段は、ＩＥＥＥ８０２．１５．３無線プロトコルにより構成される、ミリ波トランシーバであることが出来る。有線トランシーバ３６２のような、有線リンクを介して受信データを送信するための手段は、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコル、の内の少なくとも１つに関して構成されることが出来る。
【００３６】
図４は、本発明の一態様によるＷＰＡＮで情報を通信する方法を示すフロー図である。（図３Ａで示される第１ラップトップ３０１のような）第１電子機器は、有線インターフェース（例えば、自身のＰＣＩＥインターフェース３１１）を介して、データ・パケットを送信する４０１。（第１無線ユニット３２１のような）無線ユニットは、対応するＰＣＩＥインターフェース（例えば、図３Ｂで示されるＰＣＩＥインターフェース３４３）を介して、該データ・パケットを受信する４０２。有線トランシーバ（例えば、ＰＣＩＥトランシーバ３３３）によるパケットの受信４０２の後に、無線ユニット３２１は下記の端末機能を実行する。ＰＣＩＥトランシーバ３３３はＣＲＣを実行することが出来て、次に、アクノリッジメントメッセージ（例えば、ＣＲＣの結果に従いＡＣＫ又はＮＡＣＫ）を、第１ラップトップ３０１内のＰＣＩＥトランシーバ（図示されない）に返送することが出来る４０３。ある態様では、無線ユニット３２１は、例え該パケットを正しく受信したとしても、ＮＡＣＫを送るように構成されることが出来る。例えば、ＷＰＡＮ内の無線リンクが有線リンクよりも遥かに遅いならば、或いは無線チャネル中に輻輳があるならば、或いは共有メモリ３２０が満杯ならば、該パケットが無線ユニット３２１によって処理されることが出来るより遅い時間で該パケットが再送されるように、無線ユニット３２１はラップトップ３０１にＮＡＣＫを返送する。ある態様では、無線ユニット３２１は、ＣＲＣを最初に実行することなく、ＮＡＣＫを送るように構成されることが出来る。
【００３７】
無線ユニット３２１はパケットを処理する４０４。例えば、無線ユニット３２１は該パケットを、共有（又は専用）メモリ３２０中に、記憶することが出来る。或いは、ＰＣＩＥトランシーバ３３３は該パケットをＷＰＡＮトランシーバ３１０にパス・スルー（pass through）することが出来る。ＷＰＡＮトランシーバ３１０中のＭＡＣはパケットが送信準備完了であることを通知される４０５。例えば、ＰＣＩＥトランシーバ３３３はパケットを送信させるアプリケーションとして作用する。メモリ管理が実行される４０６。例えば、もしメモリ３２０が満杯ならば、無線ユニット３２１は、送信を中止するために、ラップトップ３０１上のＰＣＩＥトランシーバに（インターフェースＰＣＩＥ３１１を介して）信号を送る。該送信は、該メモリが満杯でなくなれば、再開される。ＷＰＡＮトランシーバ３１０は該パケットをフォーマットし無線チャネルを介して送信する４０７。
【００３８】
ある複数の有線プロトコルに関しては、メモリ３２０が満杯であることを示すＮＡＣＫを送る代わりに、データ送信を遅らせるための割り込みが該送信装置（例えば、ラップトップ３０２）に送信される。端末機能は又、データ転送を調整するために利用されることが出来る、他のメッセージング・プロトコルを含むことも出来る。更に、ＵＤＰモードにおける１ギガビット・イーサネット（登録商標）のようなある場合には、アクノリッジメントメッセージは返信されない。
【００３９】
図５は、有線プロトコルを利用するために構成された電子機器をＷＰＡＮに接続するための、通信方法のフロー図である。（図３Ａに図示される）第２無線ユニット３２２はＷＰＡＮからパケットを受信し５０１、そして、第１無線ユニット３２１に受信メッセージ（例えば、ＡＣＫ又はＮＡＣＫ）を返信する５０３前に、ＣＲＣ検査を行う５０２。それに代わって、第２無線ユニット３２２は、第２ラップトップ３０２中の１ＧｂＥトランシーバからＡＣＫ又はＮＡＣＫを受信後、アクノリッジメントメッセージを返信することが出来る５０３。第１無線ユニット３２１は、第２無線ユニット３２２からＮＡＣＫを受信すると、メモリ３２０から該パケットを検索してそれを再送することが出来る５０４。再送ステップ５０４が実行される場合、ステップ５０１〜５０３が繰り返される。再送ステップ５０４は、アクノリッジメントステップ５０３が第１無線ユニット３２１にＡＣＫメッセージを提供するまで、或いは、所定の最大再送信回数に到達されるまで、繰返されることが出来る。
【００４０】
一旦正しく受信されると、第２無線ユニット３２２は該受信データを処理する５０５。例えば、無線ユニット３２２は該受信データをメモリ内に記憶する、又は、該データを、１ＧｂＥ有線トランシーバ３３２のような、周辺（有線）トランシーバの１つに渡す。１ＧｂＥ有線トランシーバ３３２は、１ＧｂＥプロトコルにより第２ラップトップ３０２上の１ＧｂＥトランシーバ（図示されない）に自身の１ＧｂＥインターフェース３１２を介して、該データを送信する５０６。
【００４１】
図６は本発明の態様により構成された通信システムのブロック図である。２つのラップトップ・コンピュータ６０１と６０２が、それぞれのラップトップ６０１と６０２内のＰＣＩＥトランシーバ６０３と６０４をそれぞれ利用する、無線リンクを介して通信的に接続されている。
【００４２】
第１無線ユニット６５１は第１ケーブル６２１によって第１ラップトップ６０１に接続される。ケーブル６２１は第１ラップトップ６０１内のＰＣＩＥトランシーバ６０３を第１無線ユニット６５１内のＰＣＩＥトランシーバ６１４に接続する。ＰＣＩＥトランシーバ６１４は第１無線ユニット６５１内の複数の有線トランシーバ６１１〜６１４の内の１つであることが出来る。無線ユニット６５１はデータを記憶するための共有メモリ６３１を更に具備し、そして、無線トランシーバ６４１は、アンテナ６４３と６４５のような、１又は複数のアンテナを具備する。
【００４３】
第２無線ユニット６５２は第２ケーブル６２２によって第２ラップトップ６０２に接続される。ケーブル６２２は第２ラップトップ６０２内のＰＣＩＥトランシーバ６０４を第２無線ユニット６５２内のＰＣＩＥトランシーバ６１８に接続する。ＰＣＩＥトランシーバ６１８は第２無線ユニット６５２内の複数の有線トランシーバ６１５〜６１８の内の１つであることが出来る。無線ユニット６５２はデータを記憶するための共有メモリ６３２を更に具備し、そして、無線トランシーバ６４２は、アンテナ６４４と６４６のような、１又は複数のアンテナを具備する。
【００４４】
本発明の１つの態様では、無線ユニット６５１と６５２の対は、異種の有線プロトコルに関して動作するように構成された有線機器（例えば、ラップトップ６０１と６０２）が、無線インターフェースを介して互いに通信することを可能にする。これに代わる諸態様では、無線ユニット６５１又は６５２の内の１つは、周辺機器の（有線）通信に対しては構成されてない別の無線機器と通信することが出来る。別の態様では、無線ユニット６５１と６５１の対は、アダプタ（adaptor）として機能するために構成することが可能である。例えば、第１無線ユニット６５１は複数の有線インターフェースの内の任意の物に接続するのに対して、第２無線ユニット６５２は、ＰＣＩＥのような、唯１つの有線インターフェースに接続する。従って、本発明の一態様は、複数の有線インターフェースの内の任意の物と単一の有線インターフェースとの間の、ブリッジ（bridge）として機能することが出来る。
【００４５】
ここで説明される種々の態様は、方法、装置、或いは標準プログラム技術及び／又は工業技術を使用する工業製品、として実現されることが出来る。ここで使用される用語“工業製品”は任意のコンピュータ可読装置、キャリア、又は媒体からアクセス可能なコンピュータ・プログラムを含むように意図される。例えば、コンピュータ可読媒体は、磁気記憶装置、光学ディスク、デジタル・バーサタイル・ディスク、スマート・カード、及びフラッシュ・メモリ機器を含むことが出来るが、これ等に限定されない。
【００４６】
図７は、コンピュータ可読メモリ７００上に常駐し、本発明の一態様により構成された、ソフトウェア・コンポーネントを示す。ここでは、用語“メモリ”はデータ記憶装置、アルゴリズム記憶装置、及びその他の情報記憶装置を指す。ここに記載される該メモリ・コンポーネントは、揮発性メモリ又は不揮発性メモリの何れかであることが出来る、或いは、揮発性メモリ及び不揮発性メモリの両者を含むことが出来る、ということが認識されるであろう。限定としてではなく例示として、不揮発性メモリは、リード・オンリー・メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）或いはフラッシュ・メモリを含むことが出来る。揮発性メモリは、外部キャッシュ・メモリとして作用する、ランダム・アクセス・メモリ（ＲＡＭ）を含むことが出来る。限定としてではなく例示として、ＲＡＭは、例えば、同期（synchronous）ＲＡＭ（ＳＲＡＭ）、ダイナミック（dynamic）ＲＡＭ（ＤＲＡＭ）、同期ＤＲＡＭ（ＳＤＲＡＭ）、ダブル・データ・レート（double data rate）ＳＤＲＡＭ（ＤＤＲ  ＳＤＲＡＭ）、エンハンスト（enhanced）ＳＤＲＡＭ（ＥＳＤＲＡＭ）、シンクリンク（Synchlink）ＤＲＡＭ（ＳＬＤＲＡＭ）、及びダイレクト・ラムバス（direct Rambus）ＲＡＭ（ＤＲＲＡＭ）のような、多数の形態において利用可能である。更に、ここでのシステム及び／又は方法の開示されたメモリ・コンポーネントは、これ等の型およびその他任意の適切な型のメモリを含むように意図されるが、それ等に限定されることはない。
【００４７】
無線端末機能ソース・コード・セグメント（source-code segment）７０１は、ＷＰＡＮから無線データを受信して、ＷＰＡＮの無線リンクに対する端末機能を実行するために、構成される。例えば、ソース・コード・セグメント７０１は、ＷＰＡＮから受信されたデータについてＣＲＣを実行して、アクノリッジメントメッセージを返信することが出来る。ソース・コード・セグメント７０１は、例えばＷＰＡＮに送信されたデータのフローを制御するなどのために、ＷＰＡＮから受信されたメッセージに応答することが出来る。
【００４８】
データ・フォーマット・ソース・コード・セグメント７０２は、有線リンクを介する送信のために、無線リンクから受信されたデータをフォーマットするために構成される。ソース・コード・セグメント７０２は、更に、無線リンクを介する送信のために、有線リンクから受信されたデータをフォーマットするために構成される。
【００４９】
有線端末機能ソース・コード・セグメント７０３は、有線リンクからデータを受信して、有線リンクに対する端末機能を実行するために、構成される。例えば、ソース・コード・セグメント７０３は、有線リンクから受信されるデータについてＣＲＣを実行して、アクノリッジメントメッセージを返信することが出来る。ソース・コード・セグメント７０３は、該有線リンクの他の終端にある機器から受信されたデータのフローを制御するために、ソース・コード・セグメント７０１によってＷＰＡＮから受信されたメッセージに応答することが出来る。ソース・コード・セグメント７０３は、有線リンクから受信されるデータをメモリ内に記憶するために構成されることが出来る。
【００５０】
本発明は好ましい諸態様に限定されるように意図されたものではない。更に、ここに記載された方法および装置の態様は、ハードウェア、ソフトウェア、ファームウェア、或いはそれ等の種々の組合せにおける実現を含み、種々の方法で実現されることが出来ることを、当業者等は理解すべきである。このようなハードウェアの諸例は、ＡＳＩＣ、フィールド・プログラマブル・ゲート・アレイ（Field Programmable Gate Arrays）、汎用プロセッサ、ＤＳＰ、及び／又はその他の回路構成、を含むことが出来る。本発明のソフトウェア及び／又はファームウェア実装は、ＪＡＶＡ（登録商標）、Ｃ、Ｃ＋＋、ＭａｔｌａｂＴＭ、Ｖｅｒｉｌｏｇ、ＶＨＤＬ、及び／又はプロセッサ固有の機械語およびアセンブリ言語、を介して実現されることが出来る。
【００５１】
ここに記載される方法とシステムの諸態様は単に本発明の特別な態様を例示するにすぎない。当業者等は、ここに明確には説明または図示されてないけれども、本発明の諸原理を具体化し且つ本発明の範囲に含まれる、多様な構成を案出することが出来る、ということが認識されるべきである。更に、ここに記載の全ての例と条件的な文言は、読者が本発明の諸原理を理解するのを助けるための単に教育目的のためであるように意図される。本開示および関連する諸参照は、そのような具体的に記載された例と条件に限定されるものではないと、解釈されるべきである。その上、本発明の態様、諸原理、及び、諸態様、並びに、それ等の具体例の全ての文言は、それ等の構造的および機能的同等物をとも含むように意図される。更に、そのような同等物は現在知られる同等物並びに将来開発される同等物、即ち、構造とは無関係に、同一機能を実行する任意の開発される要素、を両者とも含む、ということが意図される。
【００５２】
ここでのブロック図は本発明の諸原理を具体化する、例示的回路構成、アルゴリズム、及び機能的ステップ、の概念図を表す、ということが当業者等によって認識されるべきである。同様に、任意のフロー・チャート、フロー図、シグナル図、システム図、コード、及び、類似の物は、実質的にコンピュータ可読媒体で表わされ、従って、コンピュータ又はプロセッサによって、そのようなコンピュータ又はプロセッサが明確に図示されているか否かにかかわらず、実行されることが出来る、多様な処理を表す、ということが認識されるべきである。
【図１】
2011501483.tif 000003
【図２】
2011501483.tif 000004
【図３Ａ】
2011501483.tif 000005
【図３Ｂ】
2011501483.tif 000006
【図３Ｃ】
2011501483.tif 000007
【図３Ｄ】
2011501483.tif 000008
【図４】
2011501483.tif 000009
【図５】
2011501483.tif 000010
【図６】
2011501483.tif 000011
【図７】
2011501483.tif 000012
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
通信するための装置であって、
該装置を第１機器に接続する有線リンクを提供するために構成された少なくとも１つの有線インターフェース、
該有線リンクの端末として機能するために構成され、該端末機能は該第１機器からデータを受信することを具備する少なくとも１つの有線トランシーバ、
該受信されたデータを第２機器へ無線で送信するための無線送信機、及び、
該第１機器から受信されたデータを記憶するために構成されたメモリ、
を具備し、該端末機能は、該データの受信に応答して、該第１機器にアクノリッジメントメッセージを送信することを更に具備し、
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する装置。
【請求項２】
該少なくとも１つの有線インターフェース及び該少なくとも１つの有線トランシーバは、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項１に記載の装置。
【請求項３】
通信するための方法であって、
装置を第１機器に接続する有線リンク通信を提供し、
該第１機器に対して少なくとも１つの端末機能を実行し、ここに該端末機能は該第１機器からデータを受信することを具備する、
該受信されたデータを第２機器へ無線で送信し、及び、
該第１機器から受信されたデータをメモリに記憶すること、
を具備し、該少なくとも１つの端末機能は、該データの受信に応答して、該第１機器にアクノリッジメントメッセージを送信することを更に具備し、
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する方法。
【請求項４】
該有線リンク通信を提供することは、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項３に記載の方法。
【請求項５】
通信するための装置であって、
該装置を第１機器に接続する有線リンク通信を提供するための手段、
該有線リンク上の少なくとも１つの端末機能を実行するための手段、ここに該端末機能は該第１機器からデータを受信することを具備する、
該受信されたデータを第２機器へ無線で送信するための手段、及び、
該第１機器から受信されたデータを記憶するための手段、
を具備し、該少なくとも１つの端末機能を実行するための手段は、該データの受信に応答して、該第１機器にアクノリッジメントメッセージを送信するための手段を更に具備し、
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する装置。
【請求項６】
該有線リンク通信を提供するための手段は、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項５に記載の装置。
【請求項７】
その上で符号化され下記を実行可能な諸命令を具備する機械可読媒体であって、
装置を第１機器に接続する有線リンク通信を提供すること、
該有線リンク上で少なくとも１つの端末機能を実行すること、ここに該端末機能は該第１機器からデータを受信することを具備する、
該受信されたデータを第２機器へ無線で送信すること、及び、
該第１機器から受信されたデータをメモリに記憶すること、
を具備し、該少なくとも１つの端末機能は、該データの受信に応答して、該第１機器にアクノリッジメントメッセージを送信することを更に具備し、
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する機械可読媒体。
【請求項８】
通信するための装置であって、
第１機器の端末として機能するために構成された無線トランシーバ、ここに該端末機能は第１機器からデータを無線で受信することを具備する、
該装置と第２機器を通信で接続する有線リンクを介して該受信データを送信するために構成された少なくとも１つの有線トランシーバ、及び、
該第１機器から受信されたデータを記憶するために構成されたメモリ、
を具備し、該端末機能は、該データの受信に応答して、該第１機器にアクノリッジメントメッセージを無線で送信することを具備し、
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する装置。
【請求項９】
該少なくとも１つの有線トランシーバは、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項８に記載の装置。
【請求項１０】
該少なくとも１つの端末機能は、該少なくとも１つの有線トランシーバによって受信されたＮＡＣＫメッセージに基づいて、該第１機器にＮＡＣＫメッセージを無線で送信することを更に具備する請求項８に記載の装置。
【請求項１１】
通信するための方法であって、
第１機器に対して少なくとも１つの端末機能を実行し、ここに該端末機能は、装置において、該第１機器からのデータを無線で受信することを具備する、
該装置と第２機器を通信で接続する有線リンクを介して該受信されたデータを送信し、及び、
該第１機器から受信されたデータを記憶すること、
を具備し、該少なくとも１つの端末機能は、該データの受信に応答して、該第１機器にアクノリッジメントメッセージを無線で送信することを具備し、
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する方法。
【請求項１２】
該送信することは、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項１１に記載の方法。
【請求項１３】
該少なくとも１つの端末機能は、該少なくとも１つの有線トランシーバによって受信されたＮＡＣＫメッセージに基づいて、該第１機器にＮＡＣＫメッセージを無線で送信することを更に具備する請求項１１に記載の方法。
【請求項１４】
通信するための装置であって、
第１機器に対して少なくとも１つの端末機能を実行するための手段、ここに該端末機能は、装置において、第１機器からのデータを無線で受信することを具備する、
該装置と第２機器を通信で接続する有線リンクを介して該受信されたデータを送信するための手段、及び、
該第１機器から受信されたデータを記憶するための手段、
を具備し、該少なくとも１つの端末機能を実行するための手段は、該データの受信に応答して、該第１機器にアクノリッジメントメッセージを無線で送信するための手段を具備し、
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する装置。
【請求項１５】
該送信するための手段は、ＵＳＢプロトコル、ＩＥＥＥ１３９４プロトコル、ＰＣＩＥプロトコル、ＤＶＩ／ＨＤＭＩプロトコル、ＳＡＴＡプロトコル、及び１ＧｂＥプロトコルの内の少なくとも１つに関して構成される請求項１４に記載の装置。
【請求項１６】
該少なくとも１つの端末機能を実行するための手段は、該少なくとも１つの有線トランシーバによって受信されたＮＡＣＫメッセージに基づいて、該第１機器にＮＡＣＫメッセージを無線で送信するための手段を更に具備する請求項１４に記載の装置。
【請求項１７】
その上で符号化され下記を実行可能な諸命令を具備する機械可読媒体であって、
第１機器に対して少なくとも１つの端末機能を実行すること、ここに該端末機能は、装置において、第１機器からデータを無線で受信することを具備する、
該装置と第２機器を通信で接続する有線リンクを介して該受信されたデータを送信すること、及び、
該第１機器から受信されたデータを記憶すること、
を具備し、該少なくとも１つの端末機能は、該データの受信に応答して、該第１機器にアクノリッジメントメッセージを無線で送信することを具備し、
該アクノリッジメントメッセージは、もし該受信データを記憶するために十分なメモリがあるならばＡＣＫメッセージを具備し、或いは、もし該受信データを記憶するためには不十分なメモリしかないならばＮＡＣＫメッセージを具備する機械可読媒体。
【国際調査報告】
2011501483.tif 000013
2011501483.tif 000014
2011501483.tif 000015